(57)【要約】【課題】  がたつきを防止するとともに、防水性及び組立性を確保できる照明器具を提供する。【解決手段】  照明器具は、光源を点灯させる点灯回路ブロック５、及び点灯回路ブロック５が収納される両端が開口した筒状のケース本体２と、ケース本体２の両端開口にそれぞれ被着される一対の平板状のパッキン３，３と、両パッキン３，３をそれぞれケース本体２に押え付けるようにしてケース本体２に取り付けられる一対のエンドプレート４，４とからなるケースを具備し、パッキン３は、点灯回路ブロック５のケース本体２内での移動を規制する規制突起３３を一体に備える。【選択図】図１
2006185881.tif 000002
【特許請求の範囲】
【請求項１】
光源を点灯させる点灯回路ブロック、及び点灯回路ブロックが収納される両端が開口した筒状のケース本体と、ケース本体の両端開口にそれぞれ被着される一対の平板状のパッキンと、両パッキンをそれぞれケース本体に押え付けるようにしてケース本体に取り付けられる一対のエンドプレートとからなるケースを具備し、前記パッキンは、点灯回路ブロックのケース本体内での移動を規制する規制手段を一体に備えていることを特徴とする照明器具。
【請求項２】
前記パッキンは、ケース本体の外側面と当接する突部を備えていることを特徴とする請求項１に記載の照明器具。
【発明の詳細な説明】
【技術分野】
【０００１】
本発明は、照明器具に関する。
【背景技術】
【０００２】
従来から、平常時だけでなく、停電時等の非常時においても光源を点灯させるために、常用点灯装置に加えて、非常用点灯装置を具備した照明器具が提供されている。
【０００３】
このような照明器具では、防水性等を考慮して、常用点灯装置や非常用点灯装置の点灯回路ブロックを防水用のケースに収納することが行われている。このような防水用のケースとしては、例えば、図６（ａ）に示すようなケースが提供されており、このケースは、非常用点灯回路ブロック１００を収納する両端が開口した角筒状のケース本体１０１と、ケース本体１０１の両端開口に嵌め込まれて開口を閉塞する平板状のエンドプレート１０２，１０２とを備え、このエンドプレート１０２，１０２とケース本体１０１の内側面との隙間をウレタン樹脂等のコンパウンド１０３にて封止、密閉しているものである。
【０００４】
これに対して、両端部が開口した筒状のケース本体の両端開口を密閉するために、図６（ａ）に示すようなエンドプレート１０２とコンパウンド１０３とを使用する代わりに、ケース本体の開口に一致する形状のパッキンをケース本体の開口部に嵌め込むものが提供されている（特許文献１）。
【０００５】
また、パッキンを用いるものとしては、図６（ｂ）に示すように、非常用点灯回路ブロック２００を収納する両端が開口した角筒状のケース本体２０１と、ケース本体２０１の開口部に被着される平板状のパッキン２０２と、このパッキン２０２をケース本体２０１に押え付けるようにして取付ねじ２０４によりケース本体２０１に取り付けられる平板状のエンドプレート２０３と、点灯回路ブロック２００のケース本体２０１内での移動を規制する金属ばね２０５とを備えたケースが提供されている。
【特許文献１】特開２０００−２８５７２８号公報（第１図）
【発明の開示】
【発明が解決しようとする課題】
【０００６】
ところで、図６（ａ）に示すようなコンパウンド１０３を用いたものでは、防水性を確保することはできていたが、点灯回路ブロック１００がケース本体１０１内で移動してがたつくという問題があった。さらに、コンパウンド１０３で封止してしまうため、一旦収納した点灯回路ブロック１００を取り出すことが困難であり、また、コンパウンドの乾燥作業等に非常に手間と時間がかかり、組立性が悪いという問題があった。
【０００７】
一方、特許文献１のようなパッキンを嵌め込むものでは、パッキンをケース本体に嵌め込むだけで組立を行えるから組立性は良いものであったが、単にパッキンを嵌め込んでいるだけであるので、上述のコンパウンドを用いるものに比べて防水性が悪くなっていた。しかも、図６（ａ）に示すものと同様に、点灯回路ブロックがケース本体内で移動してがたつくという問題は解決できていなかった。
【０００８】
これらに対して、図６（ｂ）に示すものでは、パッキン２０２とエンドプレート２０３とを併用しているので、上記特許文献１のものに比べて防水性を向上することができ、加えて点灯回路ブロック２００の移動を規制する金属ばね２０５をケース本体２０１内に設けているため、点灯回路ブロック２００のがたつきをある程度防止することはできていた。しかしながら、金属ばね２０５を設けたことによって、部品点数が増え、それに伴なって組立工数が増加するため、製造コストが高く、組立に時間がかかるという問題があった。
【０００９】
このように従来の照明器具では、点灯回路ブロックのがたつき、防水性、及び組立性の各問題を同時に解決できなかった。
【００１０】
本発明は上述の点に鑑みて為されたもので、その目的は、がたつきを防止するとともに、防水性及び組立性を確保できる照明器具を提供することである。
【課題を解決するための手段】
【００１１】
上記の課題を解決するために、請求項１の照明器具では、光源を点灯させる点灯回路ブロック、及び点灯回路ブロックが収納される両端が開口した筒状のケース本体と、ケース本体の両端開口にそれぞれ被着される一対の平板状のパッキンと、両パッキンをそれぞれケース本体に押え付けるようにしてケース本体に取り付けられる一対のエンドプレートとからなるケースを具備し、前記パッキンは、点灯回路ブロックのケース本体内での移動を規制する規制手段を一体に備えていることを特徴とする。
【００１２】
請求項１の発明によれば、エンドプレートでパッキンをケース本体に押え付けているので、防水性を確保でき、また、ケース本体にパッキン及びエンドプレートを取り付けるだけで組立を行えるから、組立性も確保することができる。しかも、パッキンに一体に備えた規制手段により点灯回路ブロックのケース本体内での移動が規制されるから、これにより点灯回路ブロックのがたつきを防止することができる。
【００１３】
請求項２の照明器具では、請求項１の構成に加えて、前記パッキンは、ケース本体の外側面と当接する突部を備えていることを特徴とする。
【００１４】
請求項２の発明によれば、ケース本体内が減圧されてパッキンの周縁部がケース本体内に引き込まれそうになっても、パッキンにケース本体の外側面と当接する突部を設けていることによって、パッキンがケース本体内に引き込まれてパッキンとケース本体との間に隙間ができて防水性が低下することを防止することができる。
【発明の効果】
【００１５】
本発明は、エンドプレートでパッキンをケース本体に押え付けているので、防水性を確保できるとともに、ケース本体にパッキン及びエンドプレートを取り付けるだけで組立を行えるから、組立性も確保することができるという効果があり、加えて、パッキンに一体に備えた規制手段により点灯回路ブロックのケース本体内での移動が規制されるから、これにより点灯回路ブロックのがたつきを防止することができるという効果がある。
【発明を実施するための最良の形態】
【００１６】
以下に、本発明の一実施形態について図１〜図５を参照して説明する。
【００１７】
本実施形態の照明器具は、図５に示すように、天井面Ｃに垂設された一対のボルトＢ，Ｂに、各ボルトＢ，Ｂにそれぞれ対応したナットＮ，Ｎ及びワッシャＷ，Ｗを用いて取り付けられる長尺平板状の器具本体６と、器具本体６の長手方向両端部の下面側に各一対設けられ放電ランプＬａが電気的、機械的に接続されるソケット６０と、器具本体６の下面側に取り付けられる常用点灯装置７、非常用点灯装置１、端子台８、及び内部電源ＢＴと、これら常用点灯装置７と非常用点灯装置１と端子台８と内部電源ＢＴとを覆うとともに、各ソケット６０を下方へ突出させて器具本体６に取り付けられるカバー９とを備えている。
【００１８】
器具本体６は、上述したように長尺平板状に形成されており、この器具本体６を長手方向に略３等分するような位置に、上記のボルトＢ，Ｂがそれぞれ挿通されるボルト挿通孔６ａ，６ａが形成されるとともに、天井面Ｃに設けられた外部電源（図示せず）の電源線Ｖ１を器具本体６の下面側へ導出するための電源線挿通孔６ｂが形成されている。また、器具本体６の下面側の長手方向両端部には、各一対のソケット６０，６０が設けられ、各ソケット６０の近傍には、カバー９を取り付けるための取付ねじＳ２が螺着されるねじ孔６ｃが形成されている。
【００１９】
この器具本体６には、常用点灯装置７と非常用点灯装置１との２種類の点灯装置と、外部電源の電源線Ｖ１が接続される端子台８と、非常時に動作電源となる内部電源ＢＴとが設けられている。
【００２０】
常用点灯装置７は、光源となる放電ランプＬａを点灯させる常用点灯回路ブロック（図示せず）を筐体７０内に収納して構成されている。この常用点灯回路ブロックは、例えば、交流電源である商用電源のような外部電源を、高周波交流電源に変換して放電ランプＬａを点灯させる点灯回路を備えるものであり、各ソケット６０及び端子台８に電気的に接続される。
【００２１】
非常用点灯装置１は、図１に示すように、停電等の非常時に放電ランプＬａを点灯させるための非常用点灯回路ブロック（以下、単に点灯回路ブロックと略す）５をケース１０（図１参照）に収納して構成され、点灯回路ブロック５は、各ソケット６０及び端子台８に電気的に接続される。
【００２２】
点灯回路ブロック５は、内部電源ＢＴを高周波電源に変換して放電ランプＬａを点灯させる非常用点灯回路、停電等の非常時であるか否かを検知する検知回路、及び検知回路により非常時であると検知された場合に非常用点灯回路を動作させる制御回路等を備えており、これら回路が実装されたプリント基板５０と、プリント基板５０を収納する基板用ケース５３とを具備している。この基板用ケース５３は、図１に示すように、下側ケース５１と上側ケース５２とからなり、下側ケース５１は、例えば、合成樹脂若しくは金属を用いて一面（上面）及び長手方向両側面が開口した箱状に形成され、下側ケース５１の底面５１ａの長手方向両端側には、プリント基板５０を下側ケース５１の底面５１ａから所定距離離間させて収納するための支持片５１ｂ（図２（ａ）参照）が設けられている。また、下側ケース５１の底面５１ａは、下側ケース５１とプリント基板５０との間の絶縁性を保つために絶縁性材料からなるフィルム等で覆われている。上側ケース５２は、合成樹脂製若しくは金属製のものであり、下面が開口した箱状に形成され、下側ケース５１の開口した上面を覆うようにして下側ケース５１に被着されるものである。尚、図１においては点灯回路ブロック５を簡略化して図示している。
【００２３】
ケース１０は、点灯回路ブロック５が収納される両端が開口した角筒状のケース本体２と、ケース本体２の両端開口にそれぞれ被着される一対の平板状のパッキン３，３と、両パッキン３，３をそれぞれケース本体２に押え付けるようにしてケース本体２に取り付けられる一対のエンドプレート４，４とを備えている。
【００２４】
ケース本体２は、図１に示すように、例えばアルミニウムを押し出し加工することにより長手方向の両端が開口した角筒状に形成されており、長尺平板状の天板部２０ａと、天板部２０ａの短手方向両端部から下方へ垂設され、互いに並行する一対の長尺平板状の側板部２０ｂ，２０ｂと、両側板部２０ｂ，２０ｂの下端部を連結する長尺平板状の底板部２０ｃとを一体に備えている。このケース本体２の両端側の開口縁の四隅には、それぞれ長手方向から取付ねじＳ１が螺入されるねじ孔２１が形成されている。また、ケース本体２の両側板部２０ｂ，２０ｂの内側面の下端側には、点灯回路ブロック５を載置する載置板２２，２２が互いに近接し、かつ先端縁間に所定の間隙を有するように一体に突設され、この載置板２２，２２に点灯回路ブロック５を載置することで点灯回路ブロック５が底板部２０ｃより離間してケース本体２内に収納されることになる。さらに、天板部２０ａの下面部には、図２（ｂ）に示すように天板部２０ａの長手方向に延びる一対の突部２３，２３が突設されている。
【００２５】
パッキン３は、例えばシリコンゴム製であり、上記ケース本体２の開口を覆う平板状の遮蔽部３０を備え、この遮蔽部３０には、その四隅に取付ねじＳ１用のねじ挿通孔３０ａがそれぞれ形成されるとともに、点灯回路ブロック５のリード線や電力供給線等の接続線５４（図３（ａ）参照）を挿通するための接続線挿通孔３０ｂが複数（本実施形態では４つ）形成されている。また、遮蔽部３０の上端部及び両側端部には、ケース本体２の天板部２０ａの外側面（上面）及び両側板部２０ｂ，２０ｂの外側面にそれぞれ当接する直方体状の引き込まれ防止用の突部３１、３２，３２が一体に突設されるとともに、下端部には点灯回路ブロック５のケース本体２内での移動を規制する規制手段となる規制突起３３が一体に突設されている。規制突起３３は、ケース本体２の底板部２０ｃの上面に下面が当接する直方体状の台部３３ａと、台部３３ａの上面にケース本体２の短手方向に離間して一体に突設された一対の支持部３３ｂ，３３ｂとを備え、各支持部３３ｂは、上方にいくにつれて先尖となる形状に形成されている。また、各支持部３３ｂの先端部には、下方へと傾斜する傾斜面３３ｃが形成されている。
【００２６】
エンドプレート４は、パッキン３の遮蔽部３０と略同形状の平板部４０を有し、上記パッキン３の遮蔽部３０と同様に、平板部４０には四隅に取付ねじＳ１用のねじ挿通孔４０ａがそれぞれ形成されるとともに、点灯回路ブロック５の接続線を挿通するための接続線挿通孔４０ｂが形成されている。また、この平板部４０の裏面（パッキン３０と対向する面）の上端縁には、パッキン３の遮蔽部３０の上端面に当接する押え板４１が一体に突設されており、平板部４０の表面の下端縁には、ケース１０を器具本体６等に取り付ける取付ねじ（図示せず）用のねじ挿通孔４２ａが形成された取付板４２が一体に突設されている。
【００２７】
これらケース本体２、パッキン３，３、及びエンドプレート４，４とでケース１０が構成されることになるが、このケース１０は、ケース本体２にパッキン３，３及びエンドプレート４，４を取り付けた際に、両パッキン３，３間の距離が、点灯回路ブロック５の長手方向の長さ寸法（下側ケース５１の長手方向の長さ寸法）よりもわずかに小さくなるように設定するとともに、パッキン３の支持部３３ｂの上端と天板部２０ａの突部２３，２３の下端との間の距離が、点灯回路ブロック５の高さ寸法（基板用ケース５３の高さ寸法）よりもわずかに小さくなるように設定している。
【００２８】
そして、ケース１０には点灯回路ブロック５が次のように収納されて非常用点灯装置１が構成されることになる。点灯回路ブロック５は、ケース本体２内に一方の開口から挿し入れられ、このとき図２（ａ）に示すように、下側ケース５１の短手方向の両端部がケース本体２に設けた一対の載置板２２，２２上に載置される。この後に、ケース本体２の開口した両端部にパッキン３を各突部３１，３２，３２及び規制突起３３が突設された面をケース本体２側に向けて被着する。このとき、規制突起３３の支持部３３ｂの先端部に傾斜面３３ｃを形成していることによって、点灯回路ブロック５の端部が傾斜面３３ｃに沿って上方へ移動する（つまり、傾斜面３３ｃが点灯回路ブロック５を上方へ移動させるガイドとなる）ので、パッキン３の規制突起３３を点灯回路ブロック５の下面とケース本体２の底板部２０ｃとの間に嵌入し易くなっており、これによりパッキン３をケース本体２に容易に被着することができる。
【００２９】
次に、パッキン３，３が被着されたケース本体２に、エンドプレート４，４を、パッキン３のねじ挿通孔３０ａとエンドプレート４のねじ挿通孔４０ａ、並びにパッキン３の接続線挿通孔３０ｂとエンドプレート４の接続線挿通孔４０ｂをそれぞれ連通させるようにして配置し、このようにして連通させた両ねじ挿通孔３０ａ，４０ａを介して取付ねじＳ１をケース本体２のねじ孔２１にそれぞれ螺入することにより、図３（ａ），（ｂ）に示すように、パッキン３及びエンドプレート４がケース本体２に取り付けられ、このときパッキン３はエンドプレート４によりケース本体２側へ押え付けられて、ケース本体２に密着している。
【００３０】
このようにして点灯回路ブロック５はケース１０に収納されており、点灯回路ブロック５の接続線５４は両接続線挿通孔３０ｂ，４０ｂを通ってケース１０内からケース１０外へ導出されることになる。このとき、接続線５４と両接続線挿通孔３０ｂ，４０ｂとの間に隙間が生じ、この隙間によって防水性が破れるおそれがあるため、接続線５４に図３（ａ）に示すように、例えば円筒状のシリコンゴム５５を被嵌し、このシリコンゴム５５を両接続線挿通孔３０ｂ，４０ｂ内に位置させることで、隙間を閉塞して、防水性を保つようにしている。
【００３１】
一方、ケース本体２に取り付けられたパッキン３は、突部３１が図４（ａ）に示すようにケース本体２の天板部２０ａの上面に当接するとともに、図４（ｂ）に示すように突部３２がケース本体２の側板部２０ｂの外側面に当接している。また、パッキン３の規制突起３３が図４（ｃ）に示すように、点灯回路ブロック５とケース本体２との間、つまり、点灯回路ブロック５の下面（下側ケース５１の下面）と底板部２０ｃの上面との間に嵌入されている。このように規制突起３３が点灯回路ブロック５とケース本体２との間に嵌入されると、この規制突起３３の支持部３３ｂ，３３ｂによって、点灯回路ブロック５はケース本体２内において上方へ持ち上げられる。このとき、上述したようにパッキン３の支持部３３ｂの上端と天板部２０ａの突部２３の下端との間の距離を点灯回路ブロック５の高さ寸法（基板用ケース５３の高さ寸法）よりもわずかに小さくなるように設定しているため、図２（ｂ）に示すように、弾性を有する規制突起３３によって、点灯回路ブロック５は、上面（上側ケース５２の上面）が天板部２０ａの突部２３，２３に押し付けられる。このようにして点灯回路ブロック５は、天板部２０ａの突部２３，２３と規制手段３３の支持部３３ｂ，３３ｂとでケース本体２に密着するように保持され、これにより点灯回路ブロック５の上下方向の移動が規制されることになる。
【００３２】
さらに、上述したように、両パッキン３，３間の距離を点灯回路ブロック５の長手方向の長さ寸法（下側ケース５の長手方向の長さ寸法）よりもわずかに小さくなるように設定しているので、図３（ａ），（ｂ）に示すように、点灯回路ブロック５の長手方向両端部（下側ケース５１の長手方向両端部）が各パッキン３，３にそれぞれ押し付けられ、これにより点灯回路ブロック５のケース本体２内での長手方向及び短手方向の移動が規制されることになる。
【００３３】
端子台８は、外部電源の電源線Ｖ１と内部電源ＢＴの電源線Ｖ２とが各別に接続される一対の入力側端子部（図示せず）と、常用点灯装置７と非常用点灯装置１の各電力供給線（図示せず）が各別に接続される一対の出力側端子部（図示せず）と、一対の入力側端子部とそれぞれ対応する一対の出力側端子部との間の通電を同時にオン・オフするスイッチ８０とを備えている。スイッチ８０は端子台８から下方へ導出された引き紐８０ａの引き動作によってオン・オフが切り替えられるものであり、引き紐８０ａの下端部には引き紐８０ａを手で操作しやすくするために操作用の把持部８０ｂが取り付けられている。
【００３４】
カバー９は、上面が開口した長尺の箱状に形成され、その下壁部９０は、短手方向の中央部が下方へ突出する先尖形状、つまり長手方向に直交する方向での断面形状が略Ｖ字状となっている。また、下壁部９０には、その長手方向両端部に器具本体６の各ソケット６０をそれぞれ下方へ突出させるためのソケット用孔部９０ａと、器具本体６の各ねじ孔６ｃとそれぞれ連通するねじ挿通孔９０ｂとが形成されるとともに、端子台８の把持部８０ｂ及び引き紐８０ａを下方へ導出するためのスイッチ操作用孔部９０ｃが形成されている。さらに、この下壁部９０の外側面には、放電ランプＬａの光を反射する反射板９１が形成されている。
【００３５】
以上により本実施形態の照明器具は構成されており、各部材は次のようにして取り付けられている。器具本体６の下面側には、常用点灯装置７と、非常用点灯装置１と、端子台８と、内部電源ＢＴとが取り付けられており、各点灯装置７，１が端子台８及び各ソケット６０にそれぞれ接続されるとともに、電源線挿通孔６ｂを挿通させた外部電源の電源線Ｖ１及び内部電源ＢＴの電源線Ｖ２が端子台８に接続されている。このとき、常用点灯装置７と外部電源とが端子台８を介して電気的に接続されるように配線するとともに、非常用点灯装置１と内部電源ＢＴとが端子台８を介して電気的に接続されるように配線しておき、端子台８のスイッチ８０によって、常用点灯装置７と外部電源間、非常用点灯装置１と内部電源ＢＴ間の通電を同時にオン・オフできるようにしている。そして、器具本体６のボルト挿通孔６ａ，６ａを挿通させたボルトＢ，ＢにそれぞれワッシャＷ，Ｗ及びナットＮ，Ｎを螺着することで器具本体６は天井面Ｃに取り付けられている。このようにして天井面Ｃに取り付けられた器具本体６には、カバー９のソケット用挿通孔９０ａから各ソケット６０をそれぞれ突出させるとともに、スイッチ操作用孔部９０ｃから端子台８の把持部８０ｂ及び引き紐８０ａを導出させ、カバー９のねじ挿通孔９０ｂをそれぞれ挿通させた取付ねじＳ２を器具本体６のねじ孔６ｃに螺着することで、カバー９が取り付けられている。
【００３６】
このようにして、照明器具は構成されており、次に、照明器具の動作について説明する。照明器具は、把持部８０ｂを持って引き紐８０ａを下方へ引っ張ることによりスイッチ８０がオン・オフされ、これにより放電ランプＬａの点灯・消灯が切り替えられるものであって、スイッチ８０がオンされた際に、外部電源からの電力供給がある平常時には、常用点灯装置７により放電ランプＬａが点灯されることになる。一方、停電等が生じて、外部電源からの電力供給が得られない非常時になった際には、非常用点灯装置１の検知回路によってこれを検知し、内部電源ＢＴを用いて非常用点灯装置１が放電ランプＬａを点灯させるのである。
【００３７】
以上述べたように本実施形態の照明器具によれば、ケース本体２の両端開口に被着されるパッキン３を備え、エンドプレート４でパッキン３をケース本体２に押え付けているので、防水性を確保することができる。また、ケース本体２にパッキン３及びエンドプレート４を取り付けるだけで組立を行えるから、図６（ａ）に示すようなコンパウンドを使用する従来のものに比べて組立性が良く、また、パッキン３に規制手段となる規制突起３３を一体に形成しているので、図６（ｂ）のように金属ばねのような別部材が必要なくなり、これにより、組立性を確保することができる。しかも、パッキン３に一体に備えた規制突起３３により、上述したように点灯回路ブロック５のケース本体２内での移動を規制しているので、これによって点灯回路ブロック５のがたつきを防止することができる。また、上記図６（ｂ）に示す従来例のものは、金属ばね２０５の配置位置がばらついて、点灯回路ブロック２００が傾くという問題があったが、規制突起３３をパッキン３に一体に設けていることによって、このような問題も解決することができる。さらに、点灯回路ブロック５のがたつきが防止されることによって、製造した照明器具間において、点灯回路ブロック５のがたつきに起因する、例えば、点灯回路ブロック５とケース１０とが密着することによる放熱性等の性能のばらつきを抑えて、安定した性能の照明器具を得ることができるようになる。
【００３８】
ところで、このような防水性のケースは気密性を有しているため、放電ランプを消灯した際には、ケース内部が減圧され、ケース外部に比べて低圧となっていた。そのため、上記の図６（ｂ）に示す従来のものでは、次のような問題が生じていた。つまり、図６（ｂ）に示す従来例のケースでは、図７（ａ）に示すように、ケース本体２０１とエンドプレート２０３との間に平板状のパッキン２０２を挟み込むようにして取り付けているため、放電ランプを消灯した際にケース内が減圧されると、図７（ｂ）に示すように、パッキン２０２の周縁部がケース本体２０１内に引き込まれてしまい、ケースの防水性、気密性が保持できなくなってしまうという問題が生じていた。
【００３９】
これに対して、本実施形態の照明器具のケース１０では、図４（ａ），（ｂ）に示すように、パッキン３にケース本体２の天板部２０ａの上面及び側板部２０ｂ，２０ｂの外側面にそれぞれ当接する突部３１，３２，３２を設けているので、放電ランプＬａの消灯時にケース１０内が減圧されても、これら突部３１，３２，３２が天板部２０ａ，側板部２０ｂ，２０ｂにそれぞれ当接していることによって、パッキン３が減圧によってケース本体２内に引き込まれることを抑制し、これによりパッキン３とケース本体２との間に隙間ができて防水性等が低下することを防止することができる。しかも、エンドプレート４の上端縁にパッキン３の遮蔽部３０の上端面に当接する押え板４１を設けているので、減圧によりパッキン３が引き込まれそうになった場合に、遮蔽部３０の上縁部が折れ曲がることを抑制して、突部３１と天板部２０ａとの当接状態を維持することができるようになっている。また、このような突部３１，３２，３２を設けていることによって、仮にパッキン３が引き込まれたとしても、ケース１０の外観からこれら突部３１，３２，３２を目視すれば、パッキン３が引き込まれているか否かを直ぐに確認することができるのである。
【図面の簡単な説明】
【００４０】
【図１】本発明の照明器具の非常用点灯装置の分解斜視図である。
【図２】（ａ）は、ケースに点灯回路ブロックを収納した状態を示す側面図であり、（ｂ）は、同図（ａ）にパッキン及びエンドプレートを取り付けた状態を示す側面図である。
【図３】（ａ）は、非常用点灯装置のケースを一部切り欠いた部分側面図であり、（ｂ）は、非常用点灯装置のケースを一部切り欠いた部分上面図である。
【図４】（ａ）は、図３（ａ）中にＰ１で示す部分の拡大図であり、（ｂ）は、図３（ｂ）中にＰ２で示す部分の拡大図であり、（ｃ）は、図３（ａ）中にＰ３で示す部分の拡大図である。
【図５】本発明の照明器具の分解斜視図である。
【図６】（ａ）は、従来の非常用点灯装置のケースを一部切り欠いた側面図であり、（ｂ）は、従来の他の非常用点灯装置のケースの要部の分解斜視図である。
【図７】（ａ）は、同上のケースにおいてパッキンが正常に取り付けられている状態を示す説明図であり、（ｂ）は、パッキンがケース本体内へ引き込まれた状態を示す説明図である。
【符号の説明】
【００４１】
２    ケース本体
３    パッキン
４    エンドプレート
５    点灯回路ブロック
３３    規制突起
【図１】
2006185881.tif 000003
【図２】
2006185881.tif 000004
【図３】
2006185881.tif 000005
【図４】
2006185881.tif 000006
【図５】
2006185881.tif 000007
【図６】
2006185881.tif 000008
【図７】
2006185881.tif 000009